(57)【要約】操作部材の操作を介して位置が記憶可能であり、この位置が新たな操作時に走行目的地として入力可能であるナビゲーション装置が提案される。これによって頻繁に向かわれる走行目的地（例えば住居等）の入力が容易になる。
2004522173.tif 000002
【特許請求の範囲】
【請求項１】
特に道路網において車両をナビゲーションするナビゲーション装置であって、
スタート地点から目的地点までの走行ルートが計算され、
目下の車両位置がナビゲーション装置によって検出され、
操作部材を操作することによって位置が記憶される形式のものにおいて、
前記操作部材（８， ５， ６， １９）の新たな操作によって、前記記憶された位置が走行目的地として前記ナビゲーション装置（１）に入力される、
ことを特徴とする、ナビゲーション装置。
【請求項２】
少なくとも所定の持続時間のあいだ前記操作部材（８， ５， ６， １９）を操作することによって、目下の車両の位置（１２）が記憶される、請求項１記載のナビゲーション装置。
【請求項３】
前記ナビゲーション装置（１）はディスプレイ（２）と接続されており、
当該ディスプレイ（２）内に場所表示、アドレスおよび／または地理的なポイントが表示され、
少なくとも所定の持続時間の前記操作部材（８， ５， ６， １９）の操作によって、選択された場所表示の位置、アドレスの位置および／または地理的なポイントの位置が記憶される、請求項１または２記載のナビゲーション装置。
【請求項４】
前記ディスプレイ（２）内に地図（１０）が示され、
当該地図（１０）内に記憶された位置（１７）が強調して示される、請求項１から３までのいずれか１項記載のナビゲーション装置。
【請求項５】
記憶された位置を走行目的地として入力することによって、目下の車両の位置（１２）から記憶された位置までのルート案内が自動的に開始される、請求項１から４までのいずれか１項記載のナビゲーション装置。
【請求項６】
前記操作部材（８， ５， ６， １９）の操作時に、目下の車両位置から記憶された位置までの距離および／または走行持続時間および／または方位（２１）が表示される、請求項１から５までのいずれか１項記載のナビゲーション装置。
【請求項７】
前記操作部材は少なくとも１つのプッシュキー（８）を有している、請求項１から６までのいずれか１項記載のナビゲーション装置。
【請求項８】
前記操作部材は隣接する２つのキー（５， ６）から構成されており、
当該操作部材（５， ６）は、隣接するキー（５， ６）が少なくともほぼ同時に操作されることによって操作される、請求項７記載のナビゲーション装置。
【請求項９】
前記操作部材は、操作面（１３）の選択領域（１９）である、請求項１から８までのいずれか１項記載のナビゲーション装置。
【発明の詳細な説明】
【０００１】
従来技術
本発明は独立請求項の上位概念に記載のナビゲーション装置から出発する。車両を道路網にてナビゲーションするのに用いられるナビゲーション装置は既に公知である。位置測定装置を介して車両位置が求められ、スタート地点から走行目的地までの走行ルートが計算される。道を曲がる指示を伴う走行指示が運転者に出力される。走行目的地は音声入力または文字キーボードを介して、走行開始時に入力される。さらに走行目的地のデータを記憶して、走行開始時にリストから選択することも公知である。
【０００２】
発明の利点
独立請求項の特徴部分の構成を有する本発明によるナビゲーション装置はこれに対して次の利点を有する。すなわち所定の記憶された位置を走行目的地として入力するのが顕著に容易になるという利点である。これは所定の操作部材の操作によって走行目的地が記憶され、新たな操作によって再び呼び出されることによって行われる。これによってこの走行目的地は、手間のかかる新たな入力またはリストからの選択なしに選択される。従って非常に迅速な入力が可能である。しかもユーザーは自身の入力を正確にコントロールする、または示されたテキスト（例えば走行目的地の名前）をまずリスト内で探す必要がない。これは特に頻繁に目指される走行目的地に対して有利である。有利には住居の位置または一時的な宿泊施設（例えば休暇中または出張中のホテル）の位置が記憶される。ユーザーが、自身の住居ないしは自身の宿泊施設に戻りたい場合、自身の住居を走行目的地として入力するのに操作部材の操作で充分である。
【０００３】
従属請求項に記載された手段によって、独立請求項に記載されたナビゲーション装置の有利な別の構成および改善が得られる。特に有利には操作部材を少なくとも所定の持続時間操作することによって、目下の車両位置が記憶される。これによって所定の位置の入力は容易になる。なぜならマニュアル入力またはリストからの選択による入力が省かれるからである。
【０００４】
さらに操作部材によって、リスト内に示された位置を記憶することができるのは有利である。なぜならこれによって、記憶の時点でこの車両が存在していない位置も記憶可能だからである。
【０００５】
さらにナビゲーション装置のディスプレイ内に、記憶された位置が強調して示される地図を示すのは有利である。なぜならこれによってユーザーにとって、距離、場合によってはこのような位置までの走行路が容易に識別可能だからである。
【０００６】
さらに有利には記憶された位置を走行目的地として入力することによって、車両の目下の位置から走行目的地として入力された記憶された位置までのルート案内が自動的に開始される。しかもこのためにユーザーはさらなる入力を行う必要はない。
【０００７】
さらに有利には操作部材の操作時に、目下の位置から記憶された位置までの距離および／または走行持続時間および／または方位が示される。これによってユーザーはいつでも容易に、自身によって記憶された位置までの空間的および時間的な間隔を表示させることができる。運転者がちょうど、所定の位置を含んでいない他の走行ルート上に存在する場合にもである。
【０００８】
操作部材の有利な形態はプッシュキーまたはナビゲーション装置のディスプレイ内の操作面（Ｂｅｄｉｅｎｏｂｅｒｆｌａｅｃｈｅ）の選択領域である。さらに操作部材が隣接する２つのキーから構成されるのは有利である。これらのキーは位置の記憶ないしは走行目的地の入力のために少なくともほぼ同時に操作されなければならない。これによって装置上で操作面の付加的なキーを省くことができる。さらに１つのキーのみに誤って接触することで新たな位置が記憶されてしまう、ないしは記憶された位置までのルート計算が開始されてしまうことが回避される。
【０００９】
図面
本発明の実施例を図示し、以下の明細書でより詳細に説明する。図１には本発明によるナビゲーション装置の平面図が示されており、図２には本発明によるナビゲーション装置の操作方法のフロチャートが示されている。
【００１０】
実施例の説明
本発明によるナビゲーション装置は特に自動車で使用される。しかし任意の他の車両（例えば船舶、航空機または鉄道車両）での使用も可能である。本発明のナビゲーション装置はその他に、自転車の運転者および／または歩行者用の携帯機器としても使用可能である。以下では本発明によるナビゲーション装置を自動車用ナビゲーション装置の例に沿って説明する。
【００１１】
図１にはディスプレイ２を有するナビゲーション装置１が示されている。このナビゲーション装置１は有利には自動車の中央コンソールに組み込まれる。ナビゲーション装置１は第１のアンテナ３を介して、ＧＰＳ（Ｇｌｏｂａｌ Ｐｏｓｉｔｉｏｎｉｎｇ Ｓｙｓｔｅｍ）等の衛星測位システムの衛星４と接続される。さらに車両の位置測定は図１には示されていない、走行距離計またはヨーレートセンサ等の車両センサによっても行われる。さらにナビゲーション装置１は、図１には示されていない計算器を有している。この計算器はナビゲーション装置１のケーシング内に組み込まれている。ディスプレイ２の横には操作部材が配置されている：プッシュキー５、６、７、８および回転つまみ９（Ｄｒｅｈｒａｄ）である。有利には液晶ディスプレイとして構成されているディスプレイ２内には、道路１１および目下の車両位置１２を有する地図表示１０が表示される。地図表示１０の横に、可変の記号領域１３が示されている。この記号領域内にはナビゲーション装置１の機能が示される。個々の記号領域は回転つまみ９の操作を介して選択可能である。操作部材を介して走行目的地がナビゲーション装置１に入力される。計算装置は、求められた位置から、デジタル地図にアクセスして、目下の車両位置から入力された走行目的地までの走行ルートを決める。ここでこのデジタル地図は、有利にはナビゲーション装置１のデータ担体トラック１４を介して供給される。第２のアンテナ１５を介して、ラジオ送信側またはサービスセンターから交通ニュースが受信される、ないしは問い合わされる。この交通ニュースはルート計画時に考慮される。ルート計算の終了後にディスプレイ２および／またはスピーカー１６を介して走行指示が出力される。ここでこのスピーカーは同じようにナビゲーション装置１と接続されている。第１の実施例では、第４のプッシュキー８が本発明による操作部材として構成される。第４のプッシュキー８上には記号１７が配置されている。この記号によって情報の記憶が示される。図を簡単にするために、図１ではこの種の記号としてアステリスクが選択されている。しかし第４のプッシュキー８に、例えば「家」や「家へ」等の文字または記号として示された家が付されてもよい。第４のプッシュキー８上に示されたシンボルは有利には地図表示１０内で、第４のプッシュキー８で記憶された位置に示される。第３のプッシュキー７は、ナビゲーション装置１の別の機能を呼び出すのに使用される。
【００１２】
以下で図１に示された本発明によるナビゲーション装置の操作を説明する。開始ステップ３０では第４のプッシュキー８が押されたことが検出される。この開始ステップ３０から検査ステップ３１に分岐する。ここでは第４のプッシュキー８がどのくらい長く押されていたか持続時間が検出される。第４のプッシュキー８が１秒より短く押されていたことが検出されると、位置検出ステップ３２へ分岐する。ここでは目下の車両位置が求められる。これに続く計算および表示ステップ３３では、目下の車両位置から記憶された位置までの距離が計算される。その後、ディスプレイ２の付加領域１８に距離と、例えば「１０分」というような走行持続時間（図１には示されていない）が表示される。この距離はここで示された実施例では２０キロメートルの道のりに相応して、「２０ｋｍ」として示されている。さらに目下の位置から走行目的地までの少なくとも大まかな方位が矢印２１として示される。例えば１５秒の所定の時間後、ディスプレイ２内の付加領域１８のこのような表示は消えて、方法のフローチャートは終了ステップ３４で終了する。検査ステップ３１で、第４のプッシュキー８が５秒より長く押されていたことが検出された場合、第１のアンテナ３を介して目下の車両位置が位置測定ステップ３５で求められる。続く記憶ステップ３６では、現在求められている車両位置が、ナビゲーション装置１に組み込まれている記憶ユニットに、有利には不揮発性に記憶される。記憶装置は例えば「リードオンリーメモリー」ＲＯＭとして、または例えば車両アキュムレータを介して緩衝される「ランダムアクセスメモリ」ＲＡＭとして構成される。引き続きこの方法は、終了ステップ３７で終了する。第４のプッシュキー８のさらなる操作、またはユーザによる別の選択に対して、ここで検出された車両位置が記憶される。第１の検査ステップ３１で、第４のプッシュキー８が１秒より長く、しかし５秒より短く押されたことが検出された場合、位置測定ステップ３８で目下の車両位置が求められる。続くルート計算ステップ３９で車両の目下の位置から記憶された位置までの走行ルートが求められる。続く出力ステップ４０で、有利には交通ニュースと関連して求められた走行ルートが、ディスプレイ２および／またはスピーカー１６を介してユーザーに出力される。この方法は終了ステップ４１で終了する。この場合、計算されたルートに沿った走行指示の出力が続く。
【００１３】
第４のプッシュキー８に代わってまたはこれと付加的に、記号領域１３の１つの記号領域１９も操作部材として構成することができる。ここでは記号１７が示され、これの操作によって車両位置を記憶することも、走行目的地を入力することもできる。ここで操作フローチャートは、図２に示された方法に基づいて相応する。
【００１４】
第４のプッシュキー８の代わりに、例えば第１のプッシュキー５および第２のプッシュキー６も操作部材を構成することができ、第１のプッシュキー５と第２のプッシュキー６を一緒にほぼ同時に操作すると位置が記憶される、または走行目的地として入力される。第１のプッシュキー５と第２のプッシュキー６を一緒に操作することは、記号１７を有する参照符号であらわされる。
【００１５】
記号領域１３内に場所または人のアドレスまたは名前を示すこともできる。これらは回転つまみ９の操作を介して、図１には示されていない選択枠によって示される、この種の選択に、第４のプッシュキー８の操作、プッシュキー５および６から構成された操作部材の操作または記号領域１９の操作が続く場合、目下の車両位置の代わりに、選択された記号領域内に表示された位置が記憶される。この場合に記憶は地理座標の形で、または単なる名前の表示としてまたはアドレスデータレコード（Ａｄｒｅｓｓｅｎｄａｔｅｎｓａｔｚ）として行われる。さらに直接的にデータ担体トラック１４内に挿入されたデジタル地図内の位置を記憶することもできる。
【図面の簡単な説明】
【図１】
本発明によるナビゲーション装置の平面図である。
【図２】
本発明によるナビゲーション装置の操作方法のフロチャートである。
【国際公開パンフレット】
2004522173.tif 000003
2004522173.tif 000004
2004522173.tif 000005
2004522173.tif 000006
2004522173.tif 000007
2004522173.tif 000008
2004522173.tif 000009
2004522173.tif 000010
2004522173.tif 000011
2004522173.tif 000012
2004522173.tif 000013
2004522173.tif 000014
2004522173.tif 000015
2004522173.tif 000016
【国際調査報告】
2004522173.tif 000017
2004522173.tif 000018
2004522173.tif 000019
2004522173.tif 000020